【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
オレフィン及び芳香族の石油化学製品を原油供給物から生成させる、統合された、水素化処理、水蒸気熱分解、及び接触分解処理方法であって：
ａ．  原油及び水素を、減少した汚染物質の含有量、増加したパラフィン度、減少した鉱山局相関指標（Ｂｕｒｅａｕ  ｏｆ  Ｍｉｎｅｓ  Ｃｏｒｒｅｌａｔｉｏｎ  Ｉｎｄｅｘ）、そして増加した米国石油協会比重を有する水素化処理したエフルエントを生成させるのに有効な条件下で運転する水素化処理ゾーンに充填すること；
ｂ．  水素化処理したエフルエントを、水蒸気熱分解ゾーン内で水蒸気の存在下、熱分解して、熱分解された混合生成物流を生成させること；
ｃ．  前記水素化処理したエフルエント、前記水蒸気熱分解ゾーン内の加熱流、又は前記熱分解された混合生成物流の一つ又は複数に由来する重質成分を接触分解して、接触分解された生成物を生成させること；
ｄ．  熱分解された混合生成物、及び接触分解された生成物を含む、複合生成物流を分離し、前記分離した複合生成物流からオレフィン及び芳香族化合物を回収すること；及び
ｅ．  前記複合生成物流から水素を分離し、前記水素を精製して、それをステップ（ａ）に再循環させること、を含む処理方法。
【請求項２】
熱分解燃料油を、前記分離した複合生成物流から回収し、ステップ（ｃ）において分解された前記重質成分の少なくとも一部分として使用することをさらに含む、請求項１に記載の統合処理方法。
【請求項３】
ステップ（ａ）からの前記水素化処理されたエフルエントを、気液分離ゾーンにおいて気相と液相に分離し、前記気相がステップ（ｂ）への供給物であり、前記液相の少なくとも一部分を、ステップ（ｃ）において接触分解することをさらに含む、請求項１に記載の統合処理方法。
【請求項４】
前記気液分離ゾーンがフラッシュ分離装置である、請求項３に記載の統合処理方法。
【請求項５】
請求項３に記載の統合処理方法であって、前記気液分離ゾーンが、吸入口に気液分離器を有するフラッシュ容器を含み、前記気液分離器が、
予備回転の構成要素であって、流入部分及び遷移部分を有し、前記流入部分は、前記水素化処理したエフルエントを受け入れる吸入口、及び曲線の導管を有する、予備回転の構成要素と、
制御されたサイクロン区域であって、
前記予備回転の構成要素に、前記曲線の導管及び前記サイクロン区域の収束を通じて接続する吸入口、及び
気体が通過するサイクロン部材の上端にライザー区域を有するサイクロン区域と、を有し、
前記フラッシュ容器の底部分が、前記液相のすべて又は一部分をステップ（ｃ）に移行させるのに先立って、前記液相の収集及び沈降ゾーンとしての役割を果たす処理方法。
【請求項６】
請求項１に記載の統合処理方法であって、前記水素化処理したエフルエントがステップ（ｂ）への供給物であって、ステップ（ｂ）がさらに、
前記水素化処理したエフルエントを、前記水蒸気熱分解ゾーンの対流区域において加熱すること、
前記加熱した水素化処理したエフルエントを、気相と液相に分離すること、
前記気相を、前記水蒸気熱分解ゾーンの熱分解区域に受け渡すこと、及び
前記液相を排出して、ステップ（ｃ）において分解される前記重質成分の少なくとも一部分として使用すること、を含む処理方法。
【請求項７】
前記加熱した水素化処理したエフルエントの気相と液相への分離を、物理的及び機械的分離に基づく気液分離器を用いて行う、請求項６に記載の統合処理方法。
【請求項８】
前記加熱した水素化処理したエフルエントの気相と液相への分離を、気液分離器を用いて行う、請求項６に記載の統合処理方法であって、前記気液分離器が、
予備回転の構成要素であって、流入部分及び遷移部分を有し、前記流入部分は、前記加熱した水素化処理したエフルエントを入れる吸入口、及び曲線の導管を有する、予備回転の構成要素と、
制御されたサイクロン区域であって、
前記予備回転の構成要素に、前記曲線の導管及び前記サイクロン区域の収束を通じて接続する吸入口、及び
気体が通過するサイクロン部材の上端にライザー区域を有するサイクロン区域と、
液相のすべて又は一部分をステップ（ｃ）に搬送するのに先立って、前記液相が通過する液体収集器／沈降区域と、を有する処理方法。
【請求項９】
請求項１に記載の統合処理方法であって、
ステップ（ｄ）が、
熱分解された混合生成物流を複数段の圧縮を用いて圧縮すること；
前記圧縮された、熱分解された混合生成物流を苛性処理に付して、硫化水素と二酸化炭素の含有量が減少した、熱分解された混合生成物流を生成させること；
硫化水素と二酸化炭素の含有量が減少した、前記熱分解された混合生成物流を圧縮すること；
硫化水素と二酸化炭素の含有量が減少した、前記圧縮された、熱分解された混合生成物流を脱水させること；
硫化水素と二酸化炭素の量が減少した、前記脱水した、圧縮された、熱分解された混合生成物流から、水素を回収すること；及び
オレフィン及び芳香族化合物を、硫化水素と二酸化炭素の含有量が減少した、前記脱水した、圧縮された、熱分解された混合生成物流の残りから得ること；
を含み、そして
ステップ（ｅ）が、硫化水素と二酸化炭素の含有量が減少した、前記脱水した、圧縮された、熱分解された混合生成物流から回収した水素を精製し、水素化処理ゾーンに再循環させることを含む処理方法。
【請求項１０】
硫化水素と二酸化炭素の含有量が減少した、前記脱水した、圧縮された、熱分解された混合生成物流から水素を回収することがさらに、個別にメタンを回収して、熱分解ステップにおいてバーナー及び／又はヒーターの燃料として使用することを含む、請求項９に記載の統合処理方法。
【請求項１１】
請求項３に記載の統合処理方法であって、さらに
水素化処理したエフルエントを高圧分離器中で分離して、ガス部分と液体部分を回収し、前記ガス部分は洗浄して、追加の水素源として水素化処理ステップに再循環させること、及び
前記高圧分離器から得られた前記液体部分を、低圧分離器中でガス部分と液体部分に分離することを含み、前記低圧分離器からの前記液体部分は、前記気液分離ゾーンへの供給物であり、前記低圧分離器からの前記ガス部分は、前記水蒸気熱分解ゾーンの後、ステップ（ｄ）での分離の前で、前記複合生成物流と一つにする処理方法。
【請求項１２】
請求項６に記載の統合処理方法であって、さらに
水素化処理したエフルエントを高圧分離器中で分離して、ガス部分と液体部分を回収し、前記ガス部分は洗浄して、追加の水素源として水素化処理ステップに再循環させること、及び、
前記高圧分離器から得られた前記液体部分を、低圧分離器中でガス部分と液体部分に分離することを含み、前記低圧分離器からの前記液体部分は、熱分解ステップへの供給物であり、前記低圧分離器からの前記ガス部分を、前記水蒸気熱分解ゾーンの後、ステップ（ｄ）での分離の前で、前記複合生成物流と一つにする処理方法。
【請求項１３】
ステップ（ｃ）への供給物は、水蒸気熱分解ゾーン内の加熱流および水素化処理したエフルエントの一方又は両方に由来する重質成分をさらに含む、請求項２に記載の統合処理方法。
【請求項１４】
ステップ（ｃ）への供給物は、水蒸気熱分解ゾーン内の加熱流および熱分解された混合生成物流の一方又は両方に由来する重質成分をさらに含む、請求項３に記載の統合処理方法。
【請求項１５】
ステップ（ｃ）への供給物は、水素化処理したエフルエントおよび熱分解された混合生成物流の一方又は両方に由来する重質成分をさらに含む、請求項６に記載の統合処理方法。